(57)【要約】      （修正有）【課題】壁を構成する部材の一部のみを交換可能で、デザインや配置の自由度が大きい壁材を提供する。【解決手段】壁面２に、内周の壁面２側にパネル５ａを挿入するための段差３ａを設けた枠体１を取り付け、枠体１に複数の板から構成されるパネル５ａを挿入する。枠体１の内部の面を、分割部材４を用いて分割し、分割された面のそれぞれに、複数のパネル５ｂ、５ｃを挿入することが可能である。これによって、一部が損傷しても、損傷した板を交換するだけで壁の補修が可能である。また、隣接する板と板との間には重なり部分を形成し、重なり部分の幅調整により、パネルの寸法調整が可能であり、１種の板で対応できる枠体１の寸法の種類を拡げることが可能である。【選択図】図１
2016017398.tif 000002
【特許請求の範囲】
【請求項１】
複数のほぼ同じ厚さの板が並べられてなり、隣接する板との間に重なり部を有するパネルと、
壁面に取り付けられ、内周側の壁面側に前記パネルを挿入するための第一の段差を有する枠体を有することを特徴とする壁材。
【請求項２】
前記壁側に前記パネルを挿入するための第二の段差を有し、前記枠体内に前記枠体内の面を分割するように挿入される分割部材を有することを特徴とする、請求項１に記載の壁材。
【請求項３】
前記板は、樹木の生長過程で内部に注入される着色剤により、長さ方向に線状の着色部を有することを特徴とする、請求項１または請求項２に記載の壁材。
【発明の詳細な説明】
【技術分野】
【０００１】  本発明は、複数枚の木材の板を、枠体の内部に並べることで構成される壁材に関するものである。
【背景技術】
【０００２】  一般に、住宅その他の建築物の壁は、古くは壁土で、近年ではコンクリートや各種のボードで構成され、土壁の場合は漆喰などで表面が仕上げられ、ボードの場合は表面に壁紙が貼られる。また鉄筋コンクリートの建築物では、コンクリート面をそのまま壁とする場合もあるが、表面を塗装したり、各種ボードを取り付けたりすることが多い。【０００３】  そして、このような壁では、ペットの室内飼育や、子供のいたずらなどで汚損した場合に、壁紙を張り替えるのは比較的容易であるにしても、取替作業に多大な時間と費用を要するという課題がある。【０００４】  このような課題に対処するための技術として、特許文献１には支持板の上部に載置され、壁前面に配置された腰壁パネルの上端にて、壁前面に固定され腰壁上端部を形成する腰見切縁を設けた腰壁であって、腰見切縁は、パネル押さえ部を有するパネルキャップを備え、パネル押さえ部は、腰壁パネルを壁前面に固定することにより、腰壁パネルが汚れたり傷ついたりした場合でも簡単に取り替えることができる腰壁が開示されている。【０００５】  また、特許文献２には、壁に固定された巾木の上面に、複数の腰壁パネルを立設した後腰壁パネルの上部を壁に見切り縁で固定する腰壁の施工方法であって、前記見切り縁は、板状体の一面に係止部が突設されてなる見切り縁下地材と、見切り縁本体の一面に、前記板状体の係止部に嵌合可能な係止部が突設されてなる見切り縁カバー材よりなり、見切り縁下地材を壁に固定した後、見切り縁カバー材の係止部を見切り縁下地材の係止部に嵌合して、見切り縁カバー材を見切り縁下地材に固定すると共に、見切り縁本体で腰壁パネルを固定することを特徴とする腰壁の施工方法が開示されている。【０００６】  しかしながら、これらの特許文献に開示されている腰壁においては、腰壁全面を覆う構造であり、腰壁の一部の区域のみを取り替えるのは困難であった。また、腰壁の面積に合わせて、パネルの大きさを調製する必要があり、取り替えの費用低減という観点で改善の余地があった。
【先行技術文献】
【特許文献】
【０００７】
【特許文献１】  特開２００５−３３６７０６号公報
【特許文献２】  特開２００３−０３５０３２号公報
【発明の概要】
【発明が解決しようとする課題】
【０００８】  従って本発明の課題は、壁の一部のみを交換可能で、デザインや配置の自由度が大きい壁材を提供することである。
【課題を解決するための手段】
【０００９】  本発明は前記の課題に鑑み、壁面に設置した枠体に板壁を挿入する構造でと、板壁の構成を再検討した結果なされたものである。【００１０】  即ち、保発明は、複数のほぼ同じ厚さの板が並べられ、隣接する板との間に重なり部を有するパネルと、壁面に取り付けられ、内周側の壁面側に前記パネルを挿入するための第一の段差を有する枠体を有することを特徴とする壁材である。【００１１】  また、本発明は、前記壁側に前記パネルを挿入するための第二の段差を有し、前記枠体内に前記枠体内の面を分割するように挿入される分割部材を有すること特徴とする、前記の壁材である。【００１２】  また、本発明は、前記板が、樹木の生長過程で内部に注入される着色剤により、長さ方向に線状の着色部を有することを特徴とする、前記の壁材である。
【発明の効果】
【００１３】  本発明による壁材は、壁面に取り付けた枠体に複数の板からなるパネルを挿入した構造であるため、壁の一部が汚損されたり、破損されたりしても、損傷を受けた板のみを取り替えることで補修できる。また、補修を目的とした以外のパネルの交換によって、室内に雰囲気を大幅に変えることが可能である。【００１４】  そして、パネルを構成する個々の板は、隣接する板が当接する部分に段差などを設けることで、重なり部分が形成されるので、当該重なり部分の接触部の長さ調整により、パネル全体の長さもしくは幅の調整が可能である。つまり、１種類の板で対応できるパネルの寸法範囲が拡がることになる。また、本発明においては、一つの枠体の内部に、当該枠体の面を分割するための分割部材を用いることができ、一つの枠体に、複数のパネルを取り付けて使用することも可能である。【００１５】  一方で、樹木の成長過程で、幹の適当な部位に、染料などの着色剤を注入することにより、木材の年輪の特定部位を発色させ得ることが知られているが、この技術を用いた木材を用いることで、産地などを特定するが可能となる。本発明においても、このような木材をパネルに用いることで、発色の色相の違いにより、産地を特定できるという付加価値を付与できる。
【図面の簡単な説明】
【００１６】
【図１】  パネルを枠体に取り付けた状態を示す断面図、図１（ａ）は１枚のパネルを用いた例、図１（ｂ）は分割部材を用いた例。
【図２】  本発明に用いる分割部材の一例を示す図、図２（ａ）は正面図、図２（ｂ）は側面図。
【図３】  枠体内部を分割部材で分割して複数のパネルを取り付けた例。
【図４】  パネルを構成する板の接合方法の一例を示す図。
【図５】  パネルを構成する板の重なり状態の例を示す図。
【発明を実施するための形態】
【００１７】  次に本発明の実施の形態について、具体的な図を参照しながら説明する。
【００１８】  図１は、本発明にかかる壁材の一例を示す図で、パネルを枠体に取り付けた状態を示す断面図である。図１（ａ）は１枚のパネルを用いた例であり、図１（ｂ）は分割部材を用いることで、複数のパネルを取り付けた例である。また図２は、分割部材の一例を示す図で、図２（ａ）は正面図、図２（ｂ）は側面図である。
【００１９】  図１において、１は枠体、２は壁面、３ａは第一の段差、３ｂは第二の段差、４は分割部材、５ａ、５ｂ、５ｃはパネルである。枠体１は、長方形、正方形の四辺形の形状で、壁面２側の内周に第一の段差３ａが設けられ、その部分にパネ５ａ、５ｂ、５ｃが取り付け可能となっている。場合によっては、枠体１を三角計、五角形、六角形などの多角形とすることも可能である。
【００２０】  枠体１の内面を分割する分割部材４は、図２に示したように図２（ｂ）における左右方向に突き出した部分が設けられ、この突出部分を枠体１の第一の段差３ａに挿入することで枠体１の中の適当な位置に取り付けられる。そして、図１（ｂ）に示したように、枠体１の段差３ａと分割部材４の段差３ｂを利用してパネル５ｂとパネル５ｃを取り付けることができる。
【００２１】  図３は、枠体内部を分割部材で分割して、複数のパネルを取り付けた例を示す図である。図３において、４ａ、４ｂ、４ｃは分割部材、５ｄ、５ｅ、５ｆ、５ｇはパネルである。この例では、横方向に分割部材４ａを、縦方向に分割部材４ｂ、４ｃを取り付け、枠体１の内部を四つの区画に分割し、それぞれの区画にパネルを取り付けている。
【００２２】  図４は、本発明に用いるパネルを構成する板の、接合方法の一例を示す斜視図である。図４において、６ａ、６ｂは板、７は接合部である。この例においては、隣接する板の重なり部は、溝と当該溝に係合する突起部とからなっている。
【００２３】  図５は、パネルを構成する板の重なり状態の例を示す図である。図５（ａ）は、板の片面の両端に段差を設けた例、図５（ｂ）は板の両端の対向する面に段差を設けた例、図５（ｃ）は、板の両端にそれぞれ溝と突起部を設けた例である。
【００２４】  本発明においては、前記のように隣接する板の重なり部分の幅の調整により、パネル全体の長さもしくは幅の調整が可能であるが、図５はその調整手段を具体的に示している。つまり段差の幅は、Ｗ１であり、段差の幅；Ｗ１から、重なり部分の幅を減じた幅；Ｗ２の調整で、パネル全体の寸法を調整できる。つまり、１種類の板で対応できるパネルの寸法の自由度が増すことになる。また、ここでは特に例を示さないが、年輪の特定部位を着色した板を用いることで、従来にない付加価値を付与できるのは、前記の通りである。
【００２５】  以上に説明したように、本発明によれば、壁の一部のみを交換可能で、デザインや配置の自由度が大きい壁材を提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１・・・枠体    ２・・・壁面    ３ａ・・・第一の段差    ３ｂ・・・第二の段差
４，４ａ，４ｂ，４ｃ・・・分割部材
５ａ，５ｂ，５ｃ，５ｄ，５ｅ，５ｆ，５ｇ・・・パネル
６ａ，６ｂ・・・板    ７・・・接合部
【図１】
2016017398.tif 000003
【図２】
2016017398.tif 000004
【図３】
2016017398.tif 000005
【図４】
2016017398.tif 000006
【図５】
2016017398.tif 000007